(57)【要約】【課題】メディア撹拌型湿式粉砕機で用いた一定量のメディアを洗浄した後に、容器内でバッチ処理によって乾燥するメディア乾燥機を提供する。【解決手段】容器２０は筒状をなして、底面にはガスを導入するためのガス供給口５０を備え、容器２０の周壁には、ガスを排出するための網面２６を備え、容器２０の軸線と水平面とのなす角度θを５０〜８０°とする。ガス供給口５０は、１個又は複数個設けられている。ガス供給口５０の合計面積は、底面の面積の０．１倍以下が好ましく、ガス供給口５０における平均流速は、毎秒２ｍ以上が好ましい。ガス供給口５０は、整流板として焼結金属を用いることが好ましい。また、容器２０を振動する加振装置７０を備えていることが好ましい。【選択図】図２
2015120097.tif 000002
【特許請求の範囲】
【請求項１】
メディア撹拌型湿式粉砕機で用いるメディアを容器内で乾燥処理するメディア乾燥機であって、
前記容器は筒状をなして、底面にはガスを導入するためのガス供給口を備え、
前記容器の周壁には、前記ガスを排出するための網面を備え、
前記容器の軸線と水平面とのなす角度が、５０〜８０°であることを特徴とするメディア乾燥機。
【請求項２】
前記ガス供給口が、前記底面に複数個設けられていることを特徴とする請求項１に記載のメディア乾燥機。
【請求項３】
前記ガス供給口の合計面積が、前記底面の面積の０．１倍以下であることを特徴とする請求項１又は２に記載のメディア乾燥機。
【請求項４】
前記ガス供給口が、整流板として焼結金属を用いていることを特徴とする請求項１乃至３の何れか１項に記載のメディア乾燥機。
【請求項５】
前記容器を振動する加振装置を備えていることを特徴とする請求項１乃至４の何れか１項に記載のメディア乾燥機。
【発明の詳細な説明】
【技術分野】
【０００１】
本発明は、メディア撹拌型湿式粉砕機で使用したメディアの後処理に関し、洗浄されたメディアを乾燥するためのメディア乾燥機に関する。
【背景技術】
【０００２】
メディア撹拌型湿式粉砕機は、スラリー状の処理物をメディアとともに撹拌して、粉砕処理を行う粉砕機である。粉砕処理後の固形物の目標粒径が１μｍ以下であるような場合には、使用するメディアの粒径は１ｍｍ以下とすることが多い。使用するメディアが小さくなるほど、製品となる処理物をメディアから分離することが難しくなるが、特許文献１には、遠心式のセパレータを用いたメディア撹拌型湿式粉砕機が記載されている。
【０００３】
遠心式のセパレータを用いたメディア撹拌型湿式粉砕機では、メディアを充填する際や回収する際などにおいて、処理物中にメディアを混入させてしまう問題を起こし易いのであるが、特許文献２には、この問題を解決してメディアの充填と回収を確実に行うことができる粉砕処理システムと、粉砕処理方法が記載されている。
【０００４】
また、粉砕処理後に回収したメディアを洗浄して付着物を除去することも重要であり、特許文献３には、メディアを破損することなく、短時間に洗浄することができるメディア洗浄機が記載されている。そして、洗浄したメディアは、平らに伸ばして自然乾燥させることはできるが、異物の混入は禁物であるから、なるべく人手に依らず、密閉状態の装置の中で処理することが好ましい。
【０００５】
この乾燥処理は、回収した一定量のメディアを、短い時間でバッチ処理することが好ましい。多くの場合、メディアの粒径は１ｍｍ以下であり、初期の水分量は２０ｗｔ％程度（湿量基準重量％）である。このため、処理物の性状は、水分の多い泥状から、さらさらに乾燥した状態へ、非常に大きく変化する。すなわち、このような性状の変化に対応することができる乾燥装置でなければならない。
【０００６】
例えば、熱効率の高い乾燥機としては流動層乾燥機が挙げられる。しかし、流動層全体を乾燥状態に近い流動状態として連続処理する場合には優れているが、バッチ処理を行うことは非常に困難と考えられる。また、水分の多い泥状の処理としては、強い撹拌を伴う乾燥処理が挙げられる。しかし、ジルコニアなどのセラミックからなるメディアは、強い撹拌で割れてしまうので好ましくない。また、バッチ処理では、処理の準備や清掃などの後片付けに、多大な手間を必要とすることが多い。
【先行技術文献】
【特許文献】
【０００７】
【特許文献１】特開２００６−２４７５５７号公報
【特許文献２】特開２００９−１２５６８２号公報
【特許文献３】特開２０１１−１１５７１３号公報
【発明の概要】
【発明が解決しようとする課題】
【０００８】
本発明の目的は、メディア撹拌型湿式粉砕機で用いるメディアを乾燥処理するメディア乾燥機であって、特に、洗浄後における一定量のメディアをバッチ処理するメディア乾燥機を提供することにある。そして、メディアを破損することなく、温度の低い乾燥ガスを用いて、短時間に効率的な乾燥処理が可能であり、運転が簡単で容易なメディア乾燥機を提供することにある。
【課題を解決するための手段】
【０００９】
本発明の請求項１に係るメディア乾燥機は、メディア撹拌型湿式粉砕機で用いるメディアを容器内で乾燥処理するメディア乾燥機であって、前記容器は筒状をなして、底面にはガスを導入するためのガス供給口を備え、前記容器の周壁には、前記ガスを排出するための網面を備え、前記容器の軸線と水平面とのなす角度が、５０〜８０°である手段を採用している。
【００１０】
また、本発明の請求項２に係るメディア乾燥機は、請求項１に記載のメディア乾燥機であって、前記ガス供給口が、前記底面に複数個設けられている手段を採用している。
また、本発明の請求項３に係るメディア乾燥機は、請求項１又は２に記載のメディア乾燥機であって、前記ガス供給口の合計面積が、前記底面の面積の０．１倍以下である手段を採用している。
また、本発明の請求項４に係るメディア乾燥機は、請求項１乃至３の何れか１項に記載のメディア乾燥機であって、前記ガス供給口が、整流板として焼結金属を用いている手段を採用している。
また、本発明の請求項５に係るメディア乾燥機は、請求項１乃至４の何れか１項に記載のメディア乾燥機であって、前記容器を振動する加振装置を備えている手段を採用している。
【発明の効果】
【００１１】
本発明のメディア乾燥機は、上記の手段を採用したことにより安定した乾燥処理を行うことが可能であり、処理の途中で性状が著しく変化するバッチ処理を問題なく行うことができる。また、メディアを破損することなく、温度の低い乾燥用ガスで、短時間に効率良く乾燥処理を行うことができる。また、運転が簡単で容易に行うことができる。
【図面の簡単な説明】
【００１２】
【図１】本発明のメディア乾燥機における容器の概要を示し、（ａ）は概略側面図、（ｂ）はＡ−Ａ矢視図である。
【図２】本発明のメディア乾燥機の概要を示す概略側面図である。
【図３】ガス供給口の一例を示し、（ａ）はその概略断面図、（ｂ）は取り付け状態を示す概略一部断面図である。
【図４】ガス供給口の他の一例を示し、（ａ）はその概略断面図、（ｂ）は取り付け状態を示す概略一部断面図である。
【図５】ガス供給口のさらに他の一例を示し、（ａ）はその概略断面図、（ｂ）は取り付け状態を示す概略一部断面図である。
【発明を実施するための形態】
【００１３】
本発明のメディア乾燥機は、メディア撹拌型湿式粉砕機で用いるメディアを、容器内で乾燥処理するものである。その容器について図１により説明する。
容器２０は、筒状をなすものであって、その断面形状は、円形の他に、多角形や楕円形などとすることができる。容器２０は、底板２１と上部フランジ２２との間に枠体２５を形成して、枠体２５の外側又は内側に沿って網面２６からなる周壁を形成している。上部フランジ２２は、蓋体２３を設けて閉塞することができる。
【００１４】
容器２０の底面となる底板２１にはガス供給口５０を設けて、乾燥用ガスを導入することができる。また、周壁の少なくとも一部には網面２６を備えて、乾燥用ガスを排出することができる。そして、容器２０を傾斜した状態で使用し、容器２０の軸線と水平面とのなす角度θが５０〜８０°であることを特徴としている。
【００１５】
ガス供給口５０は、傾斜した底板２１に１個又は複数個設けられている。そして、底板２１の比較的低い位置に偏って配置され、高い位置から導入された乾燥用ガスが短絡して排出されることを避けている。また、ガス供給口５０を複数個として、ガスの流れを分散させることにより、処理物と乾燥用ガスとの接触効率を高めることができる。
【００１６】
また、乾燥用ガスは、各ガス供給口５０から比較的速い流速で噴出させて、泥状の処理物に対してもガスの流れを確保し、処理物に対するガスの接触が確実に行われるようにしている。このため、ガス供給口５０の総面積は、容器２０内の底板２１の面積に対して、０．１倍以下とすることが好ましく、０．０５倍以下とすることがより好ましい。また、各ガス供給口５０における平均流速は、毎秒２ｍ以上とすることが好ましく、３ｍ以上とすることがより好ましい。ここで、ガス供給口５０の面積は、後述する整流板５２の面積であり、平均流速もこの断積で計算した値である。
【００１７】
容器２０の軸線と水平面とのなす角度θは、好ましくは５０〜８０°であり、より好ましくは６０〜７０°である。このような角度とすることによって、バッチ処理の初期段階から、処理物の流動を促すことができる。そして、短時間で全体を流動層状態とすることができる。例えば、容器２０の軸線を垂直（角度θを９０°）とした場合には、処理物の流動が不十分となり、全体を均一に処理することが困難となる。
【００１８】
図２に示すように、本発明のメディア乾燥機１０は、上記の特徴を備える容器２０を、基台３０及び傾斜台３５に取り付けたものである。乾燥用ガスとしては、例えば、小型の圧縮機を用いて発生させた圧縮空気を用いる。必要に応じて、加熱用のヒーターを用いて所定の温度まで昇温する。そして、所定の温度の乾燥用ガスを、容器２０内に所定の流量で導入することによってメディアを乾燥させる。
【００１９】
このような構成とすることにより、本発明のメディア乾燥機１０は、処理物の性状が著しく変化するバッチ処理であるにもかかわらず、終始一定の条件で、乾燥処理を行うことができる。すなわち、最初の泥状の処理物に対しても、徐々に、部分的な乾燥状態を作り始めることができる。また、処理の進行に伴って、ガスの流路が次第に拡大され、遂には処理物全体を流動層状態として乾燥処理することができる。そして、処理の途中で人手を要することもなく、単に運転を継続するだけで、完全な乾燥状態とすることができる。
【００２０】
ガス供給口５０の具体的な態様について、図３〜図５によって説明する。何れの場合においても、容器２０の底板２１は、傾斜台３５の上板３６に固定される。すなわち、底板２１と上板３６とが、ボルトによって固定される。上板３６の中央部は、大きく開口させているので、容器２０の内部と傾斜台３５の内部とが、底板２１を介して隣り合う状態となっている。
【００２１】
図３に示す第１の形態は、複数のガス供給口５０に対して、それぞれ個別のガス導管によって乾燥用ガスが導入されるようになっている。ガス供給口５０の構造は、短管５１の一方の側に整流板５２を備え、他方の側にガス導管の接続口５３を備えている。この形態では、噴出部における圧力損失が取り付け位置によって異なる場合でも、それぞれのガス供給口５０について確実に流量の設定をすることができる。
【００２２】
図４に示す第２の形態は、傾斜台３５を密閉容器として、ここから各ガス供給口５０に乾燥用ガスを導入するようになっている。ガス供給口５０は、短管５１に整流板５２を設けただけの簡単なものとなる。傾斜台３５に設けたガス導管の接続口３８から乾燥用ガスを導入することにより、各ガス供給口５０からガスを噴出させる。この形態では、噴出部の取り付け位置によってガス流量が多少異なることになるが、これを無視できる場合には利用することができる。
【００２３】
整流板５２としては、焼結金属又は金網を使用することが簡便で確実である。そして、整流板５２の周囲からも、底板２１に沿ってガスが噴出する構造とすることにより、初期の段階から乾燥用ガスを分散して、処理物と乾燥用ガスとの接触効率を高めることができる。その他、メディアの粒径が比較的大きい場合には、整流板５２として多孔板を使用することもできる。
【００２４】
図５に示す第３の形態は、整流板５２を使用しないガス供給口５０の例を示している。このガス供給口５０は、短管５１の一方の側に椀型のディスク５５を備えたものである。ディスク５５には、ゴムなどの弾性を備える素材を使用している。そして、乾燥用ガスを導入することにより、ディスク５５を振動させながら、その全周から底板２１の表面に沿ってガスを噴出させることができる。したがって、処理物を解して、乾燥用ガスとの接触効率を高めることができる。この場合においても図４の場合と同様に、傾斜台３５を密閉容器として、ここから各ガス供給口５０に乾燥用ガスを導入することもできる。
【００２５】
容器２０の網面２６に関しては、必ずしも周壁の全面に亘って設ける必要はなく、例えば、下半部のみ網面２６とすることもできる。しかしながら、全面としたほうが、製作が簡略化され、乾燥処理も確実とすることができる。網面２６の材質としては、樹脂製の網などを使用することも可能であるが、ステンレス鋼の金網が最適である。そして、金網の通過可能な最大粒子径を、処理するメディアの粒径の２／３程度とすることが好ましい。容器２０の内面は、処理物の流動性を高めるために滑らかな状態とすることが好ましく、金網を枠体２５の内側に位置させることが好ましい。
【００２６】
本発明の好ましい態様について、図２により説明する。
メディア乾燥機１０は、容器２０を大きく回動させることができる。すなわち、傾斜台３５の下板３７と基台３０の基板３１とは、ヒンジ６０によって回動可能に連結されて、容器２０を反転させることができる。ヒンジ６０の位置は、容器２０が傾斜している側である。ヒンジ６０の反対側には、トグルクランプなどを設けて、容易に固定できるようにする。乾燥処理終了後に、容器２０を反転することにより、メディアを容器２０から容易に排出することができる。また、清掃や点検を容易に行うことができる。
【００２７】
また、メディア乾燥機１０は、容器２０を振動するための加振装置７０を備えている。加振装置７０としては、小型の振動モータやエアバイブレータを使用することができる。加振する方向としては、容器２０の軸線方向とすることが好ましい。このため、基台３０の本体部と基板３１との間にスプリング７１を設けるとともに、基板３１の下側に加振装置７０を設けている。容器２０を振動することにより、処理物を解して、乾燥用ガスとの接触効率を高めることができる。
【００２８】
本発明のメディア乾燥機１０で処理するメディアは、ジルコニア等のセラミック粒子である。処理物の粒径範囲について特に制限はなく、現在使用されている５０μｍから数ｍｍのメディアを乾燥処理することができる。また、将来的には、さらに小径のメディアまで使用される傾向にあるが、何ら問題はなく、１５μｍ程度でも十分に処理可能である。
【符号の説明】
【００２９】
１０……メディア乾燥機
２０……容器
２６……網面
５０……ガス供給口
５２……整流板
７０……加振装置
【図１】
2015120097.tif 000003
【図２】
2015120097.tif 000004
【図３】
2015120097.tif 000005
【図４】
2015120097.tif 000006
【図５】
2015120097.tif 000007